(57)【特許請求の範囲】
【請求項１】
移動通信システムにおける移動ネットワークを運営する基地局の方法であって、
セル内の情報を収集し、かつ、収集されたセル内の情報と対応する既設定された臨界値とを比較して、セル内に存在する移動ネットワークの運営モードを決定する過程と、
決定された運営モードを前記移動ネットワークに送信する過程と
を含み、
前記決定された運営モードは、前記移動ネットワークが自身のサービスカバレッジ領域内の端末とのリンクを維持する動作オンモード、又は、前記移動ネットワークが自身のサービスカバレッジ領域内の端末とのリンクをオフさせる動作オフモードであり、
前記移動ネットワークの運営モードを決定する過程は、
信号受信強度が臨界値より大きい場合に移動ネットワークの信号受信強度を報告する端末の数、移動ネットワークの速度及び移動ネットワークの位置情報のうち、少なくとも一つを利用して移動ネットワーク別に運営モードを決定する過程を含むことを特徴とする方法。
【請求項２】
前記移動ネットワークの運営モードを決定する過程は、
前記セル内の統計的情報を収集して前記セル内に存在する全ての移動ネットワークの運営モードを一括して決定する過程を含み、
前記セル内の統計的情報は、セル内のトラフィック量、セル内の端末の総干渉量あるいはセル内の端末の個数のうち、少なくとも一つを含むことを特徴とする請求項１に記載の方法。
【請求項３】
前記移動ネットワーク別に運営モードを決定する過程は、
前記信号受信強度が臨界値より大きい場合に移動ネットワークの信号受信強度を報告する端末の数と臨界端末の数とを比較する過程と、
報告端末の数が臨界端末の数以上であるとき、特定移動ネットワークの速度を臨界速度と比較して前記特定移動ネットワークの運営モードを決定する過程とを含むことを特徴とする請求項１に記載の方法。
【請求項４】
前記移動ネットワークの運営モードが動作オフモードとして決定されるとき、前記移動ネットワークが動作オフモードに転換する前に前記移動ネットワークのサービスカバレッジ領域内に位置した端末に対するハンドオーバあるいはセル再選択処理を行う過程と、
前記移動ネットワークの運営モードが動作オンモードとして決定されるとき、前記移動ネットワークが動作オンモードに転換した後に前記移動ネットワークのサービスカバレッジ領域内に位置した端末に対するハンドオーバあるいはセル再選択処理を行う過程とをさらに含むことを特徴とする請求項１に記載の方法。
【請求項５】
移動通信システムにおける移動ネットワークの運営方法であって、
基地局から運営モードを受信する過程と、
前記基地局から受信された運営モードに応じて、自身のサービスカバレッジ領域内の端末とのリンクを転換する過程と、
前記運営モードが自身のサービスカバレッジ領域内の端末とのリンクオフを表すモードである場合、前記リンクをオフさせる前に前記端末に対するハンドオーバあるいはセル再選択処理を行う過程と、
前記運営モードが自身のサービスカバレッジ領域内の端末とのリンクオンを表すモードである場合、前記リンクをオンさせた後に前記端末に対するハンドオーバあるいはセル再選択処理を行う過程と
を含み、
前記運営モードは、前記基地局によって、信号受信強度が臨界値より大きい場合に移動ネットワークの信号受信強度を報告する端末の数、移動ネットワークの速度及び移動ネットワークの位置情報のうち、少なくとも一つを利用して移動ネットワーク別に決定されることを特徴とする方法。
【請求項６】
移動通信システムにおける移動ネットワークを運営する基地局の装置であって、
セル内の情報を収集し、かつ、収集された情報と対応する既設定された臨界値とを比較して、セル内に存在する移動ネットワークの運営モードを決定する制御部と、
決定された運営モードを前記移動ネットワークに送信する通信モジュールと
を備え、
前記決定された運営モードは、前記移動ネットワークが自身のサービスカバレッジ領域内の端末とのリンクを維持する動作オンモード、又は、前記移動ネットワークが自身のサービスカバレッジ領域内の端末とのリンクをオフさせる動作オフモードであり、
前記制御部は、信号受信強度が臨界値より大きい場合に移動ネットワークの信号受信強度を報告する端末の数、移動ネットワークの速度及び移動ネットワークの位置情報のうち、少なくとも一つを利用して移動ネットワーク別に運営モードを決定することを特徴とする装置。
【請求項７】
前記制御部は、前記セル内の統計的情報を収集して前記セル内に存在する全ての移動ネットワークの運営モードを一括して決定し、
前記セル内の統計的情報は、セル内のトラフィック量、セル内の端末の総干渉量あるいはセル内の端末の個数のうち、少なくとも一つを含むことを特徴とする請求項６に記載の装置。
【請求項８】
前記制御部は、前記信号受信強度が臨界値より大きい場合に移動ネットワークの信号受信強度を報告する端末の数が臨界端末の数以上であるとき、特定移動ネットワークの速度を臨界速度と比較して、前記特定移動ネットワークの運営モードを決定することを特徴とする請求項６に記載の装置。
【請求項９】
前記制御部は、前記移動ネットワークの運営モードが動作オフモードとして決定されるとき、前記移動ネットワークが動作オフモードに転換する前に前記移動ネットワークのサービスカバレッジ領域内に位置した端末に対するハンドオーバあるいはセル再選択処理を行い、前記移動ネットワークの運営モードが動作オンモードとして決定されるとき、前記移動ネットワークが動作オンモードに転換した後に前記移動ネットワークのサービスカバレッジ領域内に位置した端末に対するハンドオーバあるいはセル再選択処理を行うことを特徴とする請求項６に記載の装置。
【請求項１０】
移動通信システムにおける移動ネットワークの運営装置であって、
基地局から運営モードを受信する通信モジュールと、
前記基地局から受信された運営モードに応じて、自身のサービスカバレッジ領域内の端末とのリンクを転換する制御部とを備え、
前記制御部は、前記運営モードが自身のサービスカバレッジ領域内の端末とのリンクオフを表すモードである場合、前記リンクをオフさせる前に前記端末に対するハンドオーバあるいはセル再選択処理を行い、前記運営モードが自身のサービスカバレッジ領域内の端末とのリンクオンを表すモードである場合、前記リンクをオンさせた後に前記端末に対するハンドオーバあるいはセル再選択処理を行い、
前記運営モードは、前記基地局によって、信号受信強度が臨界値より大きい場合に移動ネットワークの信号受信強度を報告する端末の数、移動ネットワークの速度及び移動ネットワークの位置情報のうち、少なくとも一つを利用して移動ネットワーク別に決定されることを特徴とする装置。
【発明の詳細な説明】
【技術分野】
【０００１】
本発明は、移動通信システムにおける移動ネットワークの運営方法及び装置に関し、特に基地局でセル内の状況を考慮して移動ネットワークの運営モードを管理する方法及び装置に関する。
【背景技術】
【０００２】
図１は、移動ネットワーク（ＭＮ：Ｍｏｖｉｎｇ  Ｎｅｔｗｏｒｋ）を示している。前記図１に示したように、移動ネットワークは、バスあるいは列車のような高速移動車両内のユーザに切れることがなく信頼できるサービスを提供するための無線接続技術である。前記移動ネットワークは、速い速度で移動する環境でもサービス領域内の搭乗者に停止状態の環境のようなサービスを提供しなければならない。すなわち、前記移動ネットワークは、ユーザが前記移動ネットワークの外側のセル（Ｏｕｔｅｒ  Ｃｅｌｌ）の基地局からサービスを受ける場合より、さらに高い品質のサービスを提供しなければならない。
【０００３】
無線セルラ環境において移動ネットワーク技術は、ＩＭＴ−Ａｄｖａｎｃｅｄ（Ｉｎｔｅｒｎａｔｉｏｎａｌ  Ｍｏｂｉｌｅ  Ｔｅｌｅｃｏｍｍｕｎｉｃａｔｉｏｎｓ  Ａｄｖａｎｃｅｄ）標準を準備しているＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｍ標準グループと３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ−ａｄｖａｎｃｅｄ（Ｌｏｎｇ  Ｔｅｒｍ  Ｅｖｏｌｕｔｉｏｎ  Ａｄｖａｎｃｅｄ）標準グループのような国際標準化機構を介してサービスモデルとして論議されており、ＩＥＥＥ  ８０２．１６ｊ標準グループでは、前記移動ネットワークに対するシナリオを反映して規格作業が進められている。これにより、最近では、前記移動ネットワークでのハンドオーバあるいはページングのような移動性管理に関する問題が論議されている。
【０００４】
前記移動ネットワークは、以下のような長所を有する。前記移動ネットワークは、自分に属した端末に強健な（ｒｏｂｕｓｔ）通信環境を提供することができ、端末をグループに縛って移動性を提供でき、資源効率性を極大化させることができ、端末の電力を低減する効果を提供することができる。
【０００５】
しかしながら、前記のような長所にもかかわらず、図２に示すような都心地のような地域において全体的なシステム側面を考慮すれば、前記移動ネットワークが動作する場合が動作しない場合に比べて非効率的でありうる。
【０００６】
図２は、移動ネットワークを含む移動通信システムを示している。
前記図２に示すように、都心地域では、トラフィック密度が比較的高いために、移動ネットワーク２１１、２１３、２１５、２１７が基地局２０１と直接通信している端末に干渉を起こし、資源が衝突する確率が高くなる。そのため、前記都心地域では、前記移動ネットワークの進入により基地局と通信していた端末の通信環境がむしろ悪化しうるという問題点がある。
【先行技術文献】
【特許文献】
【０００７】
【特許文献１】韓国特許出願公開第１０−２００７−００７８４４９号公報
【発明の概要】
【課題を解決するための手段】
【０００８】
本発明は、上述したような問題点を解決するために案出されたものであって、本発明の目的は、移動通信システムにおける移動ネットワークの運営方法及び装置を提供することにある。
【０００９】
本発明の他の目的は、移動通信システムにおける基地局がセル内の状況を考慮して移動ネットワークの運営モードを管理する方法及び装置を提供することにある。
【００１０】
本発明のさらに他の目的は、移動通信システムにおける移動ネットワークが基地局の制御によって運営モードを転換する方法及び装置を提供することにある。
【００１１】
本発明のさらに他の目的は、移動通信システムにおける基地局がセル内の移動ネットワークの運営モードを一括して決定する方法及び装置を提供することにある。
【００１２】
本発明のさらに他の目的は、移動通信システムにおける基地局がセル内の移動ネットワークの速度及び干渉を考慮して、移動ネットワーク別に運営モードを決定する方法及び装置を提供することにある。
【００１３】
上記の目的を達成すべく、本発明の第１見地によれば、移動通信システムにおける移動ネットワークを運営する基地局の方法は、セル内の情報を収集してセル内に存在する移動ネットワークの運営モードを決定する過程と、決定された運営モードを前記移動ネットワークに送信する過程とを含み、前記運営モードは、前記移動ネットワークが自身のサービスカバレッジ領域内の端末とのリンクを維持する動作オンモードと前記移動ネットワークが自身のサービスカバレッジ領域内の端末とのリンクをオフさせる動作オフモードのうち、少なくとも一つを含むことを特徴とする。
【００１４】
上記の目的を達成すべく、本発明の第２見地によれば、移動通信システムにおける移動ネットワークの運営方法は、基地局から運営モードを受信する過程と、前記基地局から受信された運営モードに応じて、自身のサービスカバレッジ領域内の端末とのリンクを転換する過程とを含むことを特徴とする。
【００１５】
上記の目的を達成すべく、本発明の第３見地によれば、移動通信システムにおける移動ネットワークを運営する基地局の装置は、セル内の情報を収集してセル内に存在する移動ネットワークの運営モードを決定する制御部と、決定された運営モードを前記移動ネットワークに送信する通信モジュールとを備え、前記運営モードは、前記移動ネットワークが自身のサービスカバレッジ領域内の端末とのリンクを維持する動作オンモードと、前記移動ネットワークが自身のサービスカバレッジ領域内の端末とのリンクをオフさせる動作オフモードとのうち、少なくとも一つを含むことを特徴とする。
【００１６】
上記の目的を達成すべく、本発明の第４見地によれば、移動通信システムにおける移動ネットワークの運営装置は、基地局から運営モードを受信する通信モジュールと、前記基地局から受信された運営モードに応じて、自身のサービスカバレッジ領域内の端末とのリンクを転換する制御部とを備えることを特徴とする。
【図面の簡単な説明】
【００１７】
【図１】図１は、移動ネットワークを示す図である。
【図２】図２は、移動ネットワークを含む移動通信システムを示す図である。
【図３】図３は、本発明に係る移動通信システムにおける移動ネットワークの運営モードを示す図である。
【図４】図４は、本発明の実施形態に係る移動通信システムの運営シナリオを示す図である。
【図５】図５は、本発明の実施形態に係る移動通信システムにおける基地局の動作手順を示す図である。
【図６】図６は、本発明の実施形態に係る移動通信システムにおける移動ネットワークの運営モードを決定する基地局の動作手順を示す図である。
【図７】図７は、本発明の実施形態に係る移動通信システムにおける移動ネットワークの動作手順を示す図である。
【図８】図８は、本発明の一実施形態に係る移動通信システムにおける移動ネットワークをオフモードに転換する場合の信号流れを示す図である。
【図９】図９は、本発明の他の実施形態に係る移動通信システムにおける移動ネットワークをオフモードに転換する場合の信号流れを示す図である。
【図１０】図１０は、本発明のさらに他の実施形態に係る移動通信システムにおける移動ネットワークをオフモードに転換する場合の信号流れを示す図である。
【図１１】図１１は、本発明のさらに他の実施形態に係る移動通信システムにおける移動ネットワークをオフモードに転換する場合の信号流れを示す図である。
【図１２】図１２は、本発明の一実施形態に係る移動通信システムにおける移動ネットワークをオンモードに転換する場合の信号流れを示す図である。
【図１３】図１３は、本発明の他の実施形態に係る移動通信システムにおける移動ネットワークをオンモードに転換する場合の信号流れを示す図である。
【図１４】図１４は、本発明のさらに他の実施形態に係る移動通信システムにおける移動ネットワークをオンモードに転換する場合の信号流れを示す図である。
【図１５】図１５は、本発明のさらに他の実施形態に係る移動通信システムにおける移動ネットワークをオンモードに転換する場合の信号流れを示す図である。
【図１６】図１６は、本発明の実施形態に係る移動通信システムにおける基地局のブロック構成を示す図である。
【図１７】図１７は、本発明の実施形態に係る移動通信システムにおける移動ネットワークのブロック構成を示す図である。
【発明を実施するための形態】
【００１８】
以下、本発明の好ましい実施形態を、添付された図面を参照して詳細に説明する。そして、本発明を説明するに当たって、関連した公知機能あるいは構成についての具体的な説明が本発明の要旨を不明にするおそれがあると判断された場合には、その詳細な説明を省略する。
【００１９】
以下、本発明では、移動通信システムにおいて基地局がセル内の状況を考慮してセル領域内に存在する移動ネットワークの運営モードを決定し、前記基地局の決定に応じて移動ネットワークが運営モードを転換する技術について説明する。
【００２０】
以下、本発明において移動ネットワークの運営モードを定義する。
【００２１】
図３は、本発明に係る移動通信システムにおける移動ネットワークの運営モードを示している。
【００２２】
前記図３に示すように、移動ネットワークは、移動ネットワーク（あるいは移動中継器）の電源が消されているか、ついているかによって、電源オフ（Ｐｏｗｅｒ−ＯＦＦ）状態３００と電源オン（Ｐｏｗｅｒ−ＯＮ）状態３１０とに区分される。前記電源オン状態３１０は、前記移動ネットワークが基地局の機能を行うか、又は機能を行わないかによって、動作オンモード（Ｏｐｅｒａｔｉｏｎ  ＯＮ  ＭｏｄｅあるいはＭＮ−ｔｏ  ＭＳ  Ｌｉｎｋ  ＯＮ  Ｍｏｄｅ）３１４と動作オフモード（Ｏｐｅｒａｔｉｏｎ  ＯＦＦ  ＭｏｄｅあるいはＭＮ−ｔｏ  ＭＳ  Ｌｉｎｋ  ＯＦＦ  Ｍｏｄｅ）３１２とに区分できる。
【００２３】
前記動作オンモード３１４は、前記移動ネットワークが基地局の役割を行うモードを意味するものであって、周期的に自身のサービスカバレッジ領域内の端末に同期チャネル及び放送チャネル情報を送信して、前記移動ネットワークと端末との間にリンクが維持される状態を意味する。また、前記動作オンモード３１４状態の移動ネットワークは、基地局との制御情報を送受信し、自身のサービスカバレッジ領域内のアイドル状態である端末に対するページング情報を基地局から受信して該当端末に中継する。
【００２４】
前記動作オフモード３１２は、前記移動ネットワークが基地局の役割を行わないモードを意味するものであって、前記移動ネットワークのサービスカバレッジ領域内の端末に同期チャネル及び放送チャネル情報を送信する動作を中止して、前記移動ネットワークと端末との間にリンクが存在しない状態を意味する。前記動作オフモード３１２状態の移動ネットワークは、基地局との制御情報を送受信するが、自身のサービスカバレッジ領域内のアイドル状態の端末に対するページング情報を中継しない。すなわち、前記動作オフモード３１２の移動ネットワークは、端末にサービスを提供していないので、前記移動ネットワークのサービスカバレッジ領域に存在する端末は、基地局から直接ページング情報を受信する。
【００２５】
以下、本発明において移動ネットワークの運営モードを転換するということは、前記動作オンモードと動作オフモードとの間の転換を意味する。ここで、前記移動ネットワークが運営モードを動作オンモードから動作オフモードに転換する場合、前記動作オフモードに転換する前に、前記移動ネットワークからサービスが提供される活性端末及びアイドル端末が、サービング基地局へのハンドオーバ及びセル再選択を行うようにしなければならない。反対に、前記移動ネットワークが前記運営モードを動作オフモードから動作オンモードに転換する場合、前記移動ネットワークのサービスカバレッジ領域内に存在する端末が、サービング基地局から前記移動ネットワークへのハンドオーバ及びセル再選択を行うようにしなければならない。
【００２６】
前記移動ネットワークの運営モードは、各基地局が自身のセルサービスカバレッジ領域内に含まれた移動ネットワークを対象に決定でき、複数の移動ネットワークを集団（ｃｌｕｓｔｅｒ）として設定して、制御機で各集団のサービスカバレッジ領域に含まれた移動ネットワークを対象に決定することもできる。以下、本発明では、各基地局が自身のセルサービスカバレッジ領域内に含まれた移動ネットワークの運営モードを決定することを例に挙げて説明する。
【００２７】
図４は、本発明の実施形態に係る移動通信システムの運営シナリオを示している。
前記図４に示すように、第１端末ＭＳ１  ４１１は、移動ネットワークＭＮ４０１の中継により基地局ＢＳ４０３と接続されて通信を行い、第２端末ＭＳ２  ４１３は、前記基地局４０３と直接接続されて通信を行う。このとき、前記基地局４０３は、前記移動ネットワーク４０１のみならず、セルサービスカバレッジ領域内に含まれた全ての移動ネットワークの運営モードを一括して決定することもでき、前記移動ネットワーク４０１の運営モードを個別的に決定することもできる。
【００２８】
まず、前記セルサービスカバレッジ領域内に含まれた全ての移動ネットワークの運営モードを一括して決定する方法を述べると、前記基地局４０３は、セル内の情報（例：セル内のトラフィック量、セル内の端末の総干渉量、セル内の端末の個数などのような統計的な情報）を利用して、前記移動ネットワーク４０１を含んだセル内の全ての移動ネットワークの運営モードを一括して決定した後、ＢＣＨ（Ｂｒｏａｄｃａｓｔ  Ｃｈａｎｎｅｌ）を介して前記決定された運営モードを前記移動ネットワーク４０１に通報４４１する。すると、前記移動ネットワーク４０１は、前記基地局４０３の決定に従って、自身の運営モードを維持あるいは転換する。
【００２９】
例えば、前記基地局４０３は、前記移動ネットワーク４０１と第１端末４１１との間のダウンリンク４２１と、前記基地局４０３と第２端末４１３との間のダウンリンク４３１とが同じ資源を使用して互いに干渉４２３、４３３が発生すると、前記移動ネットワーク４０１の運営モードを動作オフモードとして決定して、前記移動ネットワーク４０１に通報４４１することで、前記移動ネットワーク４０１の動作をオフさせて前記干渉を減少させることができる。
【００３０】
次に、前記セルサービスカバレッジ領域内に含まれた移動ネットワークの運営モードを個別的に決定する方法を述べると、まず、前記移動ネットワーク４０１の信号（例：プリアンブル信号）を受信した第２端末４１３は、前記信号受信強度が臨界値より大きい場合、前記移動ネットワーク４０１の信号受信強度を前記基地局４０３に報告し、前記移動ネットワーク４０１は、周期的に自身の速度及び位置情報を前記基地局４０３に報告する。前記基地局４０３は、前記移動ネットワーク４０１の信号受信強度を報告するセル内の端末の数と前記移動ネットワーク４０１の速度あるいは位置情報を考慮して、前記移動ネットワーク４０１の運営モードを決定した後、決定された運営モードを前記移動ネットワーク４０１に通報する。すると、前記移動ネットワーク４０１は、前記基地局４０３の決定に従って自身の運営モードを維持あるいは転換する。
【００３１】
例えば、前記基地局４０３は、前記移動ネットワーク４０１の信号受信強度を報告した端末の数が臨界端末数以上で、前記移動ネットワーク４０１の速度が臨界速度以下である場合、前記移動ネットワーク４０１がセル内の端末に干渉を及ぼすと判断して、前記移動ネットワーク４０１の運営モードを動作オフモードに変更して前記移動ネットワーク４０１に通報４４１することで、前記移動ネットワーク４０１の動作をオフにさせ前記干渉を減少させることができる。また、前記基地局４０３は、前記動作オフモードで動作中である移動ネットワーク４０１から周期的に報告される速度が臨界速度以上である場合、前記移動ネットワーク４０１が前記端末４１３に干渉を及ぼす程度が小さいと判断して、前記動作オフモードで動作中である移動ネットワーク４０１の運営モードを動作オンモードとして決定し、これを前記移動ネットワーク４０１に通報４４１して前記移動ネットワーク４０１が動作するようにすることができる。
【００３２】
図５は、本発明の実施形態に係る移動通信システムにおける基地局の動作手順を示している。
前記図５に示すように、前記基地局は、ステップ５０１にてセル内の情報を収集してセル内に位置した移動ネットワークの運営モードを決定する。このとき、前記基地局は、セル内に位置した移動ネットワークの運営モードを一括して決定することもでき、移動ネットワーク別に決定することもできる。すなわち、前記基地局は、周期的にセル内のトラフィック量、セル内の端末の総干渉量、セル内の端末の個数などのようなセル内の統計的な情報を収集して、セル内の全ての移動ネットワークの運営モードを一括して決定するか、又は各々の移動ネットワークに対する信号受信強度を報告するセル内の端末の数と前記各々の移動ネットワークの速度あるいは位置情報を考慮して、移動ネットワーク別に運営モードを決定する。ここで、前記基地局が移動ネットワークに別に運営モードを決定する方式は、下記で図６を参照して詳細に説明する。
【００３３】
以後、前記基地局は、ステップ５０３にて前記決定された運営モードに基づいて前記セルサービスカバレッジ領域内の運営モードを転換させる必要があるか否かを検査する。すなわち、前記基地局は、現在決定された運営モードが以前に決定された運営モードと異なるか否かを検査する。万一、前記セルサービスカバレッジ領域内の運営モードを転換させる必要がない場合、すなわち、現在決定された運営モードと以前に決定された運営モードとが同一な場合、前記基地局は、ステップ５１７に進んで運営モードを表すメッセージを送信する。例えば、セル内の全ての移動ネットワークの運営モードを一括して決定する場合、前記基地局は、ＢＣＨ（Ｂｒｏａｄｃａｓｔ  Ｃｈａｎｎｅｌ）を介して前記決定された運営モードを周期的に放送し、前記ステップ５０１に戻る。ここで、前記セル内の情報を収集して運営モードを決定する周期と前記ＢＣＨを介して運営モードを放送する周期は、同一又は互いに異なりうる。ここで、前記セル内の移動ネットワーク別に運営モードを決定する場合、前記ステップ５０３及びステップ５１７の動作は、省略できる。
【００３４】
反面、前記セルサービスカバレッジ領域内の運営モードを転換させる必要がある場合、すなわち、現在決定された運営モードと以前に決定された運営モードとが異なる場合、前記基地局は、ステップ５０５にて現在決定された運営モードを確認する。
【００３５】
万一、前記現在決定された運営モードが動作オフモードである場合、前記基地局は、ステップ５０７に進んで前記動作オフモードが決定されることを表すメッセージを送信する。例えば、前記基地局は、前記動作オフモードを表すＢＣＨあるいは動作オフモードへのモード変更を要請するメッセージＭＮ＿ＯＭＣ＿ＲＥＱを送信する。以後、前記基地局は、ステップ５０９にてセル内の移動ネットワークから応答メッセージＭＮ＿ＯＭＣ−ＲＳＰを受信する。以後、前記基地局は、前記移動ネットワークに登録された端末に対するハンドオーバ及びセル再選択処理を行う（Ｓ５１１）。すなわち、前記基地局は、前記移動ネットワークのサービスカバレッジ領域内に存在して、前記移動ネットワークからサービスが提供される端末が前記基地局にハンドオーバを行うか、又はセル再選択を行うように誘導する過程を行う。以後、前記基地局は、ステップ５１３にて前記移動ネットワークに動作オフモードに転換することを指示するメッセージＭＮ＿ＯＭＣ−ＩＮＤを送信し、ステップ５１５にて前記移動ネットワークから動作オフモードに転換したことを通報するメッセージＭＮ＿ＯＭＣ−ＮＯＴＩＦＹを受信した後、本発明に係るアルゴリズムを終了する。
【００３６】
反面、前記現在決定された運営モードが動作オンモードである場合、前記基地局は、ステップ５１９に進んで前記動作オンモードが決定されることを表すメッセージを送信する。例えば、前記基地局は、前記動作オンモードを表すＢＣＨあるいは動作オンモードへのモード変更を要請するメッセージＭＮ＿ＯＭＣ＿ＲＥＱを送信する。以後、前記基地局は、ステップ５２１にてセル内の移動ネットワークから動作オンモードに転換したことを通報するメッセージＭＮ＿ＯＭＣ−ＮＯＴＩＦＹを受信する。以後、前記基地局は、ステップ５２３にて前記基地局に登録されたが前記移動ネットワークのサービスカバレッジ領域内に存在する端末に対するハンドオーバ及びセル再選択処理を行う。すなわち、前記基地局は、前記移動ネットワークのサービスカバレッジ領域内に存在する端末が前記移動ネットワークにハンドオーバを行うか、又はセル再選択を行うように誘導する過程を行う。以後、前記基地局は、本発明に係るアルゴリズムを終了する。
【００３７】
図６は、本発明の実施形態に係る移動通信システムにおける移動ネットワークの運営モードを決定する基地局の動作手順を示している。
前記図６に示すように、前記基地局は、ステップ５３１にてセル内の端末から移動ネットワークに対する報告が受信されているか否かを検査する。すなわち、前記基地局は、自身がサービスする端末が移動ネットワークのプリアンブル信号を臨界値以上の強度で受信して、これを報告しているか否かを検査する。
【００３８】
前記セル内の端末から移動ネットワークに対する報告が受信される際、前記基地局は、ステップ５３３にて特定移動ネットワークに対して報告した端末の数が臨界端末数より大きいか、又は同じであるかを検査する。すなわち、前記基地局は、前記特定移動ネットワークのプリアンブル信号を臨界値以上の強度で受信して、これを報告した端末の数が臨界端末の数より大きいか、又は同じであるかを検査する。前記基地局は、前記特定移動ネットワークに対して報告した端末の数が臨界端末数より小さいと、前記ステップ５３１に戻り、前記特定移動ネットワークに対して報告した端末の数が臨界端末数より大きいか、又は同じであると、ステップ５３５に進んで前記特定移動ネットワークの速度と第１臨界速度とを比較する。
【００３９】
万一、前記特定移動ネットワークの速度が前記第１臨界速度より大きい場合、前記基地局は、ステップ５３７にて前記特定移動ネットワークの運営モードを動作オンモードに維持すると決定し、前記図５のステップ５０３に進む。すなわち、前記基地局は、セル内の端末に干渉を及ぼす移動ネットワークがセルサービスカバレッジ領域を高速で通過中であると判断されると、運営モードを動作オンモードに維持させることができる。反面、前記特定移動ネットワークの速度が前記第１臨界速度より小さいか、又は同じである場合、前記基地局は、ステップ５３９にて前記特定移動ネットワークの運営モードを動作オフモードとして決定し、前記図５のステップ５０３に進む。すなわち、前記基地局は、セル内の端末に干渉を及ぼす移動ネットワークがセルサービスカバレッジ領域を低速で通過中であると判断されると、運営モードを動作オフモードに転換させることができる。もちろん、前記移動ネットワークの速度は可変するために、前記基地局は、前記移動ネットワークの速度が所定時間の間に第１臨界速度より大きい値に維持されるか、又は小さいか同じ値に維持されるかをさらに検査して、前記運営モードを決定できる。
【００４０】
一方、前記基地局は、ステップ５４１にてセル内に位置した移動ネットワークの中で動作オフモードである移動ネットワークから情報が受信されているか否かを検査する。これは、前記動作オフモードである移動ネットワークが周期的に自身の速度及び位置情報を基地局に報告することを仮定したことである。
【００４１】
前記基地局は、前記動作オフモードである移動ネットワークから情報が受信されないと、前記ステップ５３１に戻り、前記動作オフモードである移動ネットワークから情報が受信されると、ステップ５４３に進んで該当移動ネットワークの速度と第２臨界速度とを比較する。ここで、前記第２臨界速度は、前記第１臨界速度と同一又は異なる値でありうる。
【００４２】
万一、該当移動ネットワークの速度が前記第２臨界速度より大きいか同じである場合、前記基地局は、ステップ５４５にて前記該当移動ネットワークの運営モードを動作オンモードに転換すると決定し、前記図５のステップ５０３に進む。すなわち、前記基地局は、セル内の端末に干渉を及ぼして動作オフモードに転換した移動ネットワークがセルサービスカバレッジ領域を高速で通過していると判断されると、運営モードを動作オンモードに転換させることができる。反面、前記該当移動ネットワークの速度が前記第２臨界速度より小さい場合、前記基地局は、ステップ５４７にて前記該当移動ネットワークの運営モードを動作オフモードに維持すると決定し、前記図５のステップ５０３に進む。すなわち、前記基地局は、セル内の端末に干渉を及ぼす移動ネットワークがセルサービスカバレッジ領域を低速で通過していると判断されると、運営モードを動作オフモードに転換させることができる。もちろん、前記移動ネットワークの速度は可変するために、前記基地局は、前記移動ネットワークの速度が所定時間の間に第２臨界速度より大きいか同じ値に維持されるか、又は小さな値に維持されるかをさらに検査して、前記運営モードを決定できる。
【００４３】
図７は、本発明の実施形態に係る移動通信システムにおける移動ネットワークの動作手順を示している。
前記図７に示すように、前記移動ネットワークは、ステップ６０１にてサービング基地局（サービングＢＳ）からメッセージを受信し、ステップ６０３に進んで前記受信されたメッセージが移動ネットワークの運営モード転換を表すメッセージであるか否かを検査する。例えば、前記移動ネットワークは、移動ネットワークの運営モード情報を含むＢＣＨあるいはモード変更を要請するメッセージＭＮ＿ＯＭＣ＿ＲＥＱが受信され、現在受信されたメッセージの運営モードが自身の運営モードと異なるため運営モードを転換しなければならないか否かを検査する。万一、前記受信されたメッセージの運営モードが自身の運営モードと同一な場合、前記移動ネットワークは、前記ステップ６０１に戻る。
【００４４】
反面、前記受信されたメッセージの運営モードが自身の運営モードと異なるため運営モードを転換しなければならない場合、前記移動ネットワークは、ステップ６０５にて前記転換しなければならない運営モードを確認する。
【００４５】
前記転換しなければならない運営モードが動作オフモードである場合、前記移動ネットワークは、ステップ６０７にて前記サービング基地局へ応答メッセージＭＮ＿ＯＭＣ−ＲＳＰを送信した後、ステップ６０９に進んで前記移動ネットワーク自身に登録された端末に対するハンドオーバ及びセル再選択処理を行う。すなわち、前記移動ネットワークは、自身からサービスが提供される端末が前記サービング基地局にハンドオーバを行うか、又はセル再選択を行うように誘導する過程を行う。以後、前記移動ネットワークは、ステップ６１１にて前記サービング基地局から動作オフモードに転換することを指示するメッセージＭＮ＿ＯＭＣ−ＩＮＤを受信し、ステップ６１３にて自身の運営モードを前記動作オフモードに転換した後、ステップ６１５に進んで前記サービング基地局に前記動作オフモードに転換したことを通報するメッセージＭＮ＿ＯＭＣ−ＮＯＴＩＦＹを送信する。以後、前記移動ネットワークは、本発明に係るアルゴリズムを終了する。
【００４６】
前記転換しなければならない運営モードが動作オンモードである場合、前記移動ネットワークは、ステップ６１７にて自身の運営モードを前記動作オンモードに転換した後、ステップ６１９にて前記サービング基地局に前記動作オンモードに転換することを通報するメッセージＭＮ＿ＯＭＣ−ＮＯＴＩＦＹを送信する。以後、前記移動ネットワークは、ステップ６２１にて前記サービング基地局に登録されたが、前記移動ネットワークのサービスカバレッジ領域内に存在する端末に対するハンドオーバ及びセル再選択処理を行う。すなわち、前記移動ネットワークは、前記移動ネットワークのサービスカバレッジ領域内に存在する端末が前記移動ネットワークでハンドオーバを行うか、又はセル再選択を行うように誘導する過程を行う。以後、前記移動ネットワークは、本発明に係るアルゴリズムを終了する。
【００４７】
すると、以下では、下記図８〜１５を参照して、前記移動通信システムにおいて基地局の決定に従って移動ネットワークの運営モードを転換する場合に発生する多様な実施形態について述べる。下記図８〜図１１は、移動ネットワークの運営モードを動作オフモードに転換する場合を示し、図１２〜図１５は、移動ネットワークの運営モードを動作オンモードに転換する場合を示す。
【００４８】
図８は、本発明の一実施形態に係る移動通信システムにおいて移動ネットワークをオフモードに転換する場合の信号流れを示している。ここでは、移動ネットワークの運営モードを動作オンモードから動作オフモードに転換する場合に、前記移動ネットワークが前記移動ネットワークサービスカバレッジ領域内の活性（ａｃｔｉｖｅ）端末のハンドオーバを要請する方式を示す。
【００４９】
前記図８に示すように、まずサービング基地局（Ｓｅｒｖｉｎｇ  ＢＳ）７０４のセルサービスカバレッジ領域に位置した移動ネットワーク７０２がステップ７０８及びステップ７１０にてプリアンブルを送信すると、前記サービング基地局７０４からサービスを受ける第２端末７０６は、前記移動ネットワーク７０２のプリアンブル受信信号強度を測定する。このとき、前記第２端末７０６は、前記移動ネットワーク７０２のプリアンブル受信強度が臨界値より大きいと、ステップ７１２にて前記移動ネットワーク７０２のプリアンブル信号強度が大きく測定されることを表すフィードバックメッセージを前記サービング基地局７０４に送信する。
【００５０】
以後、前記サービング基地局７０４は、ステップ７１４にて前記第２端末７０６とセル内の端末から受信されたフィードバック情報と前記移動ネットワーク７０２の速度及び位置情報とを利用して、前記移動ネットワーク７０２の運営モードを動作オンモードから動作オフモードに転換すると決定する。このとき、前記サービング基地局７０４は、前記セルサービスカバレッジ領域内の統計的な情報を活用して、前記サービング基地局のサービスカバレッジ領域内に存在する移動ネットワークの運営モードを動作オンモードから動作オフモードに転換すると決定することもできる。以後、前記サービング基地局７０４は、ステップ７１６にて移動ネットワークの運営モード転換を表すメッセージを前記移動ネットワーク７０２あるいは全ての移動ネットワークに送信する。例えば、前記サービング基地局７０４は、動作オフモードへのモード変更を要請するメッセージＭＮ＿ＯＭＣ＿ＲＥＱを前記移動ネットワーク７０２に送信するか、ＢＣＨ送信期間にセルサービスカバレッジ領域内の全ての移動ネットワークに前記動作オフモードを表すＢＣＨを送信する。
【００５１】
前記移動ネットワーク７０２は、動作オンモードを運営する途中に前記動作オフモードを表すメッセージを受信すると、ステップ７１８にて前記サービング基地局７０４に応答メッセージＭＮ＿ＯＭＣ−ＲＳＰを送信する。
【００５２】
以後、前記移動ネットワーク７０２は、前記移動ネットワークのサービスカバレッジ領域内の活性（ａｃｔｉｖｅ）端末のハンドオーバのために、ステップ７２０にて前記サービング基地局７０４にハンドオーバ情報を要請するメッセージＨＯ＿ＩＮＦＯ−ＲＥＱを送信し、ステップ７２２にて前記サービング基地局７０４から前記要請したハンドオーバ情報を含む応答メッセージＨＯ＿ＩＮＦＯ−ＲＳＰを受信する。ここで、前記ハンドオーバ情報を要請するメッセージＨＯ＿ＩＮＦＯ−ＲＥＱは、前記活性端末のハンドオーバターゲットになりうる候補基地局の情報を要請するメッセージである。
【００５３】
以後、前記移動ネットワーク７０２は、ステップ７２４にて前記活性端末をハンドオーバする候補ターゲット基地局を決定し、ステップ７２６にて前記活性端末（例：ＭＳ１、７００）にハンドオーバの遂行を要請するメッセージＭＯＢ＿ＭＮＨＯ−ＲＥＱを送信する。
【００５４】
前記ハンドオーバの遂行を要請するメッセージを受信した端末７００は、ステップ７２８にてハンドオーバターゲット基地局をサービング基地局として決定し、ステップ７３０に進んで前記サービング基地局にハンドオーバすることを知らせるメッセージＭＯＢ＿ＨＯ−ＩＮＤを前記移動ネットワーク７０２に送信する。すると、前記移動ネットワーク７０２は、ステップ７３２にて前記サービング基地局７０４に前記活性端末７００のハンドオーバを指示するメッセージＨＯ＿ｉｎｄｉｃａｔｉｏｎを送信する。
【００５５】
以後、前記サービング基地局７０４は、ステップ７３４にて前記移動ネットワーク７０２に運営モードを変換することを指示するメッセージＭＮ＿ＯＭＣ−ＩＮＤを送信し、これを受信した前記移動ネットワーク７０２は、ステップ７３６に進んで運営モードを動作オンモードから動作オフモードに転換し、ステップ７３８にて前記運営モードを転換したことを通報するメッセージＭＮ＿ＯＭＣ−ＮＯＴＩＦＹを前記サービング基地局７０４に送信する。
【００５６】
図９は、本発明の他の実施形態に係る移動通信システムにおいて移動ネットワークをオフモードに転換する場合の信号流れを示している。ここでは、移動ネットワークの運営モードを動作オンモードから動作オフモードに転換する場合に、サービング基地局が前記移動ネットワークサービスカバレッジ領域内の活性（ａｃｔｉｖｅ）端末のハンドオーバを要請する方式を示す。
【００５７】
前記図９に示すように、ここでサービング基地局８０４の決定に従って移動ネットワーク８０２を動作オフモードに転換するために送受信されるメッセージを表すステップ８０８〜ステップ８１８は、前記図８のステップ７０８〜ステップ７１８と同様なので、これについての説明は省略する。
【００５８】
前記移動ネットワーク８０２から運営モード転換に対する応答メッセージＭＮ＿ＯＭＣ−ＲＳＰを受信した前記サービング基地局８０４は、前記移動ネットワークのサービスカバレッジ領域内の活性（ａｃｔｉｖｅ）端末のハンドオーバのために、ステップ８２０にて前記活性端末をハンドオーバする候補ターゲット基地局を決定し、ステップ８２２及びステップ８２４にてハンドオーバの遂行を要請するメッセージＭＯＢ＿ＢＳＨＯ−ＲＥＱを前記移動ネットワーク８０２を介して前記活性端末（例：ＭＳ１、８００）に送信する。
【００５９】
前記ハンドオーバの遂行を要請するメッセージを受信した端末８００は、ステップ８２６にてハンドオーバターゲット基地局をサービング基地局として決定し、ステップ８２８及びステップ８３０にて前記サービング基地局へハンドオーバすることを知らせるメッセージＭＯＢ＿ＨＯ−ＩＮＤを前記移動ネットワーク８０２を介して前記サービング基地局８０４に送信する。
【００６０】
以後、前記サービング基地局８０４は、ステップ８３２にて前記移動ネットワーク８０２に運営モードを転換することを指示するメッセージＭＮ＿ＯＭＣ−ＩＮＤを送信し、これを受信した前記移動ネットワーク８０２は、ステップ８３４に進んで運営モードを動作オンモードから動作オフモードに転換し、ステップ８３６にて前記運営モードを転換したことを通報するメッセージＭＮ＿ＯＭＣ−ＮＯＴＩＦＹを前記サービング基地局８０４に送信する。
【００６１】
図１０は、本発明のさらに他の実施形態に係る移動通信システムにおける移動ネットワークをオフモードに転換する場合の信号流れを示している。ここでは、移動ネットワークの運営モードを動作オンモードから動作オフモードに転換する場合に、前記移動ネットワークが前記移動ネットワークサービスカバレッジ領域内のアイドル（ｉｄｌｅ）端末のセル再選択を要請する方式を示す。
【００６２】
前記図１０に示すように、サービング基地局９０４の決定に従って、移動ネットワーク９０２を動作オフモードに転換するために送受信されるメッセージを表すステップ９０８〜ステップ９１８は、前記図８のステップ７０８〜ステップ７１８と同一なので、これについての説明は省略する。
【００６３】
前記サービング基地局９０４に運営モード転換に対する応答メッセージＭＮ＿ＯＭＣ−ＲＳＰを送信した前記移動ネットワーク９０２は、前記移動ネットワークのサービスカバレッジ領域内のアイドル（ｉｄｌｅ）端末のセル再選択のために、ステップ９２０にて前記サービング基地局９０４にセル再選択情報を要請するメッセージＣＲ＿ＩＮＦＯ−ＲＥＱを送信し、ステップ９２２にて前記サービング基地局９０４から前記要請したセル再選択情報を含む応答メッセージＣＲ＿ＩＮＦＯ−ＲＳＰを受信する。
【００６４】
以後、前記移動ネットワーク９０２は、ステップ９２４にて前記アイドル端末がセル再選択を行う可能性のある候補ターゲット基地局を決定し、ステップ９２６にて前記アイドル端末（例：ＭＳ１、９００）にセル再選択遂行を要請するメッセージＭＯＢ＿ＭＮＣＲ−ＲＥＱを送信する。
【００６５】
前記セル再選択遂行を要請するメッセージを受信した端末９００は、ステップ９２８にてセル再選択のターゲット基地局をサービング基地局として決定し、ステップ９３０に進んで前記サービング基地局にセル再選択を行うことを知らせるメッセージＭＯＢ＿ＣＲ−ＩＮＤを前記移動ネットワーク９０２に送信する。すると、前記移動ネットワーク９０２は、ステップ９３２にて前記サービング基地局９０４に前記アイドル端末９００のセル再選択を指示するメッセージＣＲ＿ｉｎｄｉｃａｔｉｏｎを送信する。
【００６６】
以後、前記サービング基地局９０４は、ステップ９３４にて前記移動ネットワーク９０２に運営モードを変換することを指示するメッセージＭＮ＿ＯＭＣ−ＩＮＤを送信し、これを受信した前記移動ネットワーク９０２は、ステップ９３６に進んで運営モードを動作オンモードから動作オフモードに転換し、ステップ９３８にて前記運営モードを転換したことを通報するメッセージＭＮ＿ＯＭＣ−ＮＯＴＩＦＹを前記サービング基地局９０４に送信する。
【００６７】
図１１は、本発明のさらに他の実施形態に係る移動通信システムにおける移動ネットワークをオフモードに転換する場合の信号流れを示している。ここでは、移動ネットワークの運営モードを動作オンモードから動作オフモードに転換する場合に、サービング基地局が前記移動ネットワークサービスカバレッジ領域内のアイドル端末のセル再選択を要請する方式を示す。
【００６８】
前記図１１に示すように、ここでサービング基地局１００４の決定に従って移動ネットワーク１００２を動作オフモードに転換するために送受信されるメッセージを表すステップ１００８〜ステップ１０１８は、前記図８のステップ７０８〜ステップ７１８と同一なので、これについての説明は省略する。
【００６９】
前記移動ネットワーク１００２から運営モード転換に対する応答メッセージＭＮ＿ＯＭＣ−ＲＳＰを受信した前記サービング基地局１００４は、前記移動ネットワークのサービスカバレッジ領域内のアイドル端末のセル再選択のために、ステップ１０２０にて前記アイドル端末がセル再選択を行う可能性がある候補ターゲット基地局を決定し、ステップ１０２２及びステップ１０２４にてセル再選択遂行を要請するメッセージＭＯＢ＿ＢＳＣＲ−ＲＥＱを前記移動ネットワーク１００２を介して前記アイドル端末１０００に送信する。
【００７０】
前記セル再選択遂行を要請するメッセージを受信した端末１０００は、ステップ１０２６にてセル再選択を行うターゲット基地局をサービング基地局として決定し、ステップ１０２８及びステップ１０３０にて前記サービング基地局へセル再選択を行うことを知らせるメッセージＭＯＢ＿ＣＲ−ＩＮＤを前記移動ネットワーク１００２を介して前記サービング基地局１００４に送信する。
【００７１】
以後、前記サービング基地局１００４は、ステップ１０３２にて前記移動ネットワーク１００２に運営モードを転換することを指示するメッセージＭＮ＿ＯＭＣ−ＩＮＤを送信し、これを受信した前記移動ネットワーク１００２は、ステップ１０３４に進んで運営モードを動作オンモードから動作オフモードに転換し、ステップ１０３６にて前記運営モードを転換したことを通報するメッセージＭＮ＿ＯＭＣ−ＮＯＴＩＦＹを前記サービング基地局１００４に送信する。
【００７２】
図１２は、本発明の一実施形態に係る移動通信システムにおける移動ネットワークをオンモードに転換する場合の信号流れを示している。ここでは、移動ネットワークの運営モードを動作オフモードから動作オンモードに転換する場合に、前記移動ネットワークサービスカバレッジ領域内に存在するが、サービング基地局からサービスが提供されている活性（ａｃｔｉｖｅ）端末がハンドオーバを要請する方式を示す。
【００７３】
前記図１２に示すように、まずサービング基地局（Ｓｅｒｖｉｎｇ  ＢＳ）１１０４のセルサービスカバレッジ領域に位置した動作オフモードの移動ネットワーク１１０２は、ステップ１１１０及びステップ１１１２を介して自身の速度及び位置情報を周期的にサービング基地局１１０４に送信する。
【００７４】
以後、前記サービング基地局１１０４は、ステップ１１１４にて前記移動ネットワーク１１０２の位置あるいは速度情報を利用して、該当移動ネットワーク１１０２の運営モードを動作オンモードとして決定する。このとき、前記サービング基地局１１０４は、前記セルサービスカバレッジ領域内の統計的な情報を活用して、前記サービング基地局のサービスカバレッジ領域内に存在する移動ネットワークの運営モードを動作オフモードから動作オンモードに転換することを決定することもできる。以後、前記サービング基地局１１０４は、ステップ１１１６にて移動ネットワークの運営モード転換を表すメッセージを前記移動ネットワーク１１０２あるいは全ての移動ネットワークに送信する。例えば、前記サービング基地局１１０４は、動作オンモードへのモード変更を要請するメッセージＭＮ＿ＯＭＣ＿ＩＮＤを前記移動ネットワーク１１０２に送信するか、又はＢＣＨ送信期間にセルサービスカバレッジ領域内の全ての移動ネットワークに前記動作オンモードを表すＢＣＨを送信する。
【００７５】
前記移動ネットワーク１１０２は、動作オフモードを運営する途中に前記動作オンモードを表すメッセージを受信すると、ステップ１１１８にて前記運営モードを動作オンモードに転換し、ステップ１１２０に進んで前記運営モードを転換したことを通報するメッセージＭＮ＿ＯＭＣ−ＮＯＴＩＦＹを前記サービング基地局１１０４に送信する。
【００７６】
以後、前記動作オンモードに転換した移動ネットワーク１１０２は、ステップ１１２２及び１１２４を介してフレームごとにプリアンブル（ｐｒｅａｍｂｌｅ）のような同期チャネル情報を送信する。このとき、前記移動ネットワーク１１０２のサービスカバレッジ領域内に位置しながら前記サービング基地局１１０４からサービスが提供されている活性（ａｃｔｉｖｅ）端末１１００は、前記移動ネットワーク１１０２からプリアンブルが受信されると、前記プリアンブルの受信電力量が既設定された臨界値以上であるか否かを判断して、前記臨界値以上である場合、ステップ１１２６にて前記サービング基地局１１０４にハンドオーバ要請メッセージＭＯＢ＿ＭＳＨＯ−ＲＥＱを送信する。ここで、前記ハンドオーバ要請メッセージＭＯＢ＿ＭＳＨＯ−ＲＥＱは、前記端末１１００が現在通信を行っているサービング基地局１１０４より信号強度が優秀な隣接ノードを探索するか、又は前記既設定された臨界値に基づいてハンドオーバが可能な隣接ノードが把握される時に前記サービング基地局１１０４にハンドオーバを要請するために送信するメッセージを意味する。
【００７７】
以後、前記サービング基地局１１０４は、ステップ１１２８にて前記端末１１００が前記移動ネットワーク１１０２にハンドオーバすことを決定し、ステップ１１３０にて前記移動ネットワーク１１０２にハンドオーバ関連情報を要請するメッセージＨＯ＿ＩＮＦＯ−ＲＥＱを送信し、ステップ１１３２にて前記ハンドオーバ関連情報を含む応答メッセージＨＯ＿ＩＮＦＯ−ＲＳＰを受信する。すなわち、前記サービング基地局１１０４と前記移動ネットワーク１１０２とは、ステップ１１３０及び１１３２にて前記移動ネットワーク１１０２のサービスカバレッジ領域内の活性端末の情報を交換する。
【００７８】
以後、前記サービング基地局１１０４は、ステップ１１３４にて前記活性端末１１００にハンドオーバ要請に対する応答メッセージＭＯＢ＿ＢＳＨＯ−ＲＳＰを送信する。以後、前記活性端末１１００は、ステップ１１３６にて前記サービング基地局１１０４から前記移動ネットワーク１１０２へのハンドオーバを決定し、ステップ１１３８に進んで前記移動ネットワーク１１０２へのハンドオーバ決定を通報するメッセージＭＯＤ＿ＨＯ−ＩＮＤを前記サービング基地局１１０４に送信する。
【００７９】
図１３は、本発明の他の実施形態に係る移動通信システムにおける移動ネットワークをオンモードに転換する場合の信号流れを示している。ここでは、移動ネットワークの運営モードを動作オフモードから動作オンモードに転換する場合に、サービング基地局が前記移動ネットワークサービスカバレッジ領域内に存在するが、前記サービング基地局からサービスが提供されている活性（ａｃｔｉｖｅ）端末のハンドオーバを要請する方式を示す。
【００８０】
前記図１３に示すように、ここでサービング基地局１２０４の決定に応じて移動ネットワーク１２０２を動作オンモードに転換する方式を表す１２１０ステップ〜１２２０は、前記図１２の１１１０ステップ〜ステップ１１２０と同一なので、これについての説明は省略する。
【００８１】
前記移動ネットワーク１２０２から運営モードを転換することを通報するメッセージＭＮ＿ＯＭＣ−ＮＯＴＩＦＹを受信した前記サービング基地局１２０４は、ステップ１１２２にて前記移動ネットワーク１２０２のサービスカバレッジ領域内に存在する端末１２００が前記移動ネットワーク１２０２にハンドオーバすることを決定し、ステップ１２２４にて前記移動ネットワーク１２０２にハンドオーバ関連情報を要請するメッセージＨＯ＿ＩＮＦＯ−ＲＥＱを送信し、ステップ１２２６にて前記ハンドオーバ関連情報を含む応答メッセージＨＯ＿ＩＮＦＯ−ＲＳＰを受信する。すなわち、前記サービング基地局１２０４と前記移動ネットワーク１２０２とは、前記移動ネットワーク１２０２のサービスカバレッジ領域内の活性端末の情報を交換する。
【００８２】
以後、前記サービング基地局１２０４は、ステップ１２２８にて前記活性端末１２００にハンドオーバ要請メッセージＭＯＢ＿ＢＳＨＯ−ＲＥＱを送信する。以後、前記活性端末１２００は、ステップ１２３０にて前記サービング基地局１２０４から前記移動ネットワーク１２０２へのハンドオーバを決定し、ステップ１２３２に進んで前記移動ネットワーク１２０２へのハンドオーバを決定することを通報するメッセージＭＯＤ＿ＨＯ−ＩＮＤを前記サービング基地局１２０４に送信する。
【００８３】
図１４は、本発明のさらに他の実施形態に係る移動通信システムにおける移動ネットワークをオンモードに転換する場合の信号流れを示している。ここでは、移動ネットワークの運営モードを動作オフモードから動作オンモードに転換する場合に、前記移動ネットワークサービスカバレッジ領域内に存在するが、サービング基地局にキャンプ（ＣＡＭＰ）中であるアイドル（ｉｄｌｅ）端末がセル再選択を要請する方式を示す。
【００８４】
前記図１４に示すように、ここでサービング基地局１３０４の決定に従って移動ネットワーク１３０２を動作オンモードに転換する方式を表すステップ１３１０〜１３２０は、前記図１２のステップ１１１０〜ステップ１１２０と同一なので、これについての説明は省略する。
【００８５】
前記動作オンモードに転換した移動ネットワーク１３０２は、ステップ１３２２及びステップ１３２４を介してフレームごとにプリアンブルのような同期チャネル情報を送信する。このとき、前記移動ネットワーク１３０２のサービスカバレッジ領域内に位置しながら前記サービング基地局１３０４からサービスが提供されているアイドル端末１３００は、前記移動ネットワーク１３０２からプリアンブルが受信されると、前記プリアンブルの受信電力量が既設定された臨界値以上であるか否かを判断して、前記臨界値以上である場合、ステップ１３２６にて前記サービング基地局１３０４にセル再選択要請メッセージＭＯＢ＿ＭＳＣＲ−ＲＥＱを送信する。
【００８６】
以後、前記サービング基地局１３０４は、ステップ１３２８にて前記端末１３００が前記移動ネットワーク１３０２にセル再選択を行うことを決定し、ステップ１３３０にて前記移動ネットワーク１３０２にセル再選択関連情報を要請するメッセージＣＲ＿ＩＮＦＯ−ＲＥＱを送信し、ステップ１３３２にて前記セル再選択関連情報を含む応答メッセージＣＲ＿ＩＮＦＯ−ＲＳＰを受信する。すなわち、前記サービング基地局１３０４と前記移動ネットワーク１３０２とは、前記移動ネットワーク１３０２サービスカバレッジ領域内のアイドル端末の情報を交換する。
【００８７】
以後、前記サービング基地局１３０４は、ステップ１３３４にて前記アイドル端末１３００にセル再選択要請に対する応答メッセージＭＯＢ＿ＢＳＣＲ−ＲＳＰを送信する。以後、前記アイドル端末１３００は、ステップ１３３６にて前記サービング基地局１３０４から前記移動ネットワーク１３０２へのセル再選択を行うことを決定し、ステップ１３３８に進んで前記移動ネットワーク１３０２へのセル再選択を決定することを通報するメッセージＭＯＤ＿ＣＲ−ＩＮＤを前記サービング基地局１３０４に送信する。
【００８８】
図１５は、本発明のさらに他の実施形態に係る移動通信システムにおける移動ネットワークをオンモードに転換する場合の信号流れを示している。ここでは、移動ネットワークの運営モードを動作オフモードから動作オンモードに転換する場合にサービング基地局が前記移動ネットワークサービスカバレッジ領域内に存在するが、前記サービング基地局にキャンプ中であるアイドル端末のセル再選択を要請する方式を示す。
【００８９】
前記図１５に示すように、ここでサービング基地局１４０４の決定に従って移動ネットワーク１４０２を動作オンモードに転換する方式を表すステップ１４１０〜１４２０は、前記図１２のステップ１１１０〜ステップ１１２０と同一なので、これについての説明は省略する。
【００９０】
前記移動ネットワーク１４０２から運営モードを転換することを通報するメッセージＭＮ＿ＯＭＣ−ＮＯＴＩＦＹを受信した前記サービング基地局１４０４は、ステップ１４２２にて前記移動ネットワーク１４０２のサービスカバレッジ領域内に存在する端末１４００が前記移動ネットワーク１４０２にセル再選択を行うことを決定し、ステップ１４２４にて前記移動ネットワーク１４０２にセル再選択関連情報を要請するメッセージＣＲ＿ＩＮＦＯ−ＲＥＱを送信し、ステップ１４２６にて前記セル再選択関連情報を含む応答メッセージＣＲ＿ＩＮＦＯ−ＲＳＰを受信する。すなわち、前記サービング基地局１４０４と前記移動ネットワーク１４０２とは、前記移動ネットワーク１４０２のサービスカバレッジ領域内のアイドル端末の情報を交換する。
【００９１】
以後、前記サービング基地局１４０４は、ステップ１４２８にて前記アイドル端末１４００にセル再選択要請メッセージＭＯＢ＿ＢＳＣＲ−ＲＥＱを送信する。以後、前記アイドル端末１４００は、ステップ１４３０にて前記サービング基地局１４０４から前記移動ネットワーク１４０２へのセル再選択を行うことを決定し、ステップ１４３２に進んで前記移動ネットワーク１４０２へのセル再選択を決定することを通報するメッセージＭＯＤ＿ＣＲ−ＩＮＤを前記サービング基地局１４０４に送信する。
【００９２】
図１６は、本発明の実施形態に係る移動通信システムにおける基地局のブロック構成を示している。
前記図１６に示すように、前記基地局は、通信モジュール１５００、制御部１５１０を備えて構成され、前記制御部１５１０は、運営モード決定部１５１２とメッセージ管理部１５１４とを備えて構成される。
【００９３】
前記通信モジュール１５００は、前記制御部１５１０の制御によって端末あるいは移動ネットワークと送受信される信号を処理する。すなわち、前記通信モジュール１５００は、前記制御部１５００から提供されるベースバンド信号を高周波処理して、端末あるいは移動ネットワークに送信し、前記端末あるいは移動ネットワークから受信される高周波信号をベースバンド処理して前記制御部１５００に提供する。
【００９４】
前記制御部１５１０は、前記基地局の全般的な動作を制御及び処理し、本発明によって運営モード決定部１５１２を備えることによって、セルサービスカバレッジ領域内に含まれた全ての移動ネットワークの運営モードを一括して決定するか、又はセルサービスカバレッジ領域内に含まれた移動ネットワーク別に運営モードを決定する。すなわち、前記運営モード決定部１５１２は、所定周期ごとにセルサービスカバレッジ領域内の統計的な情報を収集して、セル内に存在する移動ネットワークの運営モードを一括して決定するか、又は特定移動ネットワークに対する信号受信強度を報告する端末の数と特定移動ネットワークの速度あるいは位置情報を利用して特定移動ネットワークの運営モードを個別的に決定する。ここで、前記セルサービスカバレッジ領域内の統計的情報は、セル内のトラフィック量、セル内の端末の総干渉量、セル内の端末の個数などを意味する。また、前記制御部１５１０は、前記メッセージ管理部１５１４を備えることによって、送受信される各種メッセージを分析及び処理し、本発明によって前記決定された運営モードを含むメッセージを生成して送信するための機能を制御及び処理し、前記移動ネットワークの運営モード転換に必要なメッセージを生成及び分析する。例えば、前記メッセージ管理部１５１４は、移動ネットワークの運営モードを表すＢＣＨあるいは運営モード変更を要請するメッセージ（例：ＭＮ＿ＯＭＣ−ＲＥＱあるいはＭＮ＿ＯＭＣ−ＩＮＤ）を生成できる。
【００９５】
また、前記制御部１５１０は、前記移動ネットワークが動作オンモードから動作オフモードに転換しなければならない場合、前記移動ネットワークが動作オフモードに転換する前に、前記移動ネットワークからサービスの提供を受ける活性端末及びアイドル端末がサービング基地局へのハンドオーバ及びセル再選択を行うようにするための機能を制御及び処理する。反対に、前記制御部１５１０は、前記移動ネットワークが動作オフモードから動作オンモードに転換しなければならない場合、前記移動ネットワークが動作オンモードに転換した後に、前記移動ネットワークのサービスカバレッジ領域内に存在する端末がサービング基地局から前記移動ネットワークへのハンドオーバ及びセル再選択を行うようにするための機能を制御及び処理する。
【００９６】
図１７は、本発明の実施形態に係る移動通信システムにおける移動ネットワークのブロック構成を示している。
前記図１７に示すように、前記移動ネットワークは、通信モジュール１６００、制御部１６１０を備えて構成され、前記制御部１６１０は、運営モード制御部１６１２とメッセージ管理部１６１４とを備えて構成される。
【００９７】
前記通信モジュール１６００は、制御部１６１０の制御に応じて、端末あるいは基地局と送受信される信号を処理する。すなわち、前記通信モジュール１６００は、前記制御部１６１０から提供されるベースバンド信号を高周波処理して端末あるいは基地局に送信し、前記端末あるいは基地局から受信される高周波信号をベースバンド処理して、前記制御部１６１０に提供する。
【００９８】
前記制御部１６１０は、前記移動ネットワークの全般的な動作を制御及び処理し、本発明によって運営モード制御部１６１２を備えることによって、前記基地局で決定された運営モードに応じて、運営モードを転換するための動作を制御及び処理する。また、前記制御部１６１０は、前記メッセージ管理部１６１４を備えることによって、送受信される各種メッセージを分析及び処理し、本発明によって基地局から受信されたメッセージに含まれた運営モードを分析し、前記移動ネットワークの運営モード転換に必要なメッセージを生成及び分析する。また、前記制御部１６１０は、周期的に自身の位置及び速度情報を測定して前記基地局に送信するための機能を制御及び処理する。
【００９９】
また、前記制御部１６１０は、前記動作オンモードの運営中に動作オフモードに転換しなければならない場合、前記動作オフモードに転換する前に前記移動ネットワークからサービスの提供を受ける活性端末及びアイドル端末がサービング基地局へのハンドオーバ及びセル再選択を行うようにするための機能を制御及び処理する。反対に、前記制御部１６１０は、前記動作オフモードの運営中に動作オンモードに転換しなければならない場合、前記動作オンモードに転換した後に前記移動ネットワークのサービスカバレッジ領域内に存在する端末がサービング基地局から前記移動ネットワークへのハンドオーバ及びセル再選択を行うようにするための機能を制御及び処理する。
【０１００】
上述した説明では、基地局が各々の移動ネットワークの速度を考慮して個別的な運営モードを決定したが、前記基地局が移動ネットワークの運営モードを一括して決定して移動ネットワークに通報し、前記各々の移動ネットワークが自身の速度を考慮して運営モードを転換するか否かを判断することもできる。
【０１０１】
本発明では、移動通信システムにおいて基地局がセル内の状況を考慮してセルサービスカバレッジ領域内に存在する移動ネットワークの運営モードを決定し、前記基地局の決定に従って移動ネットワークが運営モードを転換することによって、トラフィック密度が高い地域では、セル内の全ての移動ネットワークあるいはセル内の端末に対する干渉が大きな移動ネットワークが動作しないようにして干渉問題を解決でき、前記トラフィック密度が低い地域では、前記移動ネットワークが動作するようにして前記移動ネットワークの長所を取ることができるという効果がある。
【０１０２】
一方、本発明の詳細な説明では具体的な実施形態について説明したが、本発明の範囲から逸脱しない範囲内で多様な変形が可能であることは勿論である。したがって、本発明の範囲は、上述の実施形態に限って決まらず、特許請求の範囲だけでなく、特許請求の範囲と均等なものによって決まらねばならない。
【符号の説明】
【０１０３】
１５００，１６００  通信モジュール
１５１０，１６１０  制御部
１５１２  運営モード決定部
１５１４，１６１４  メッセージ管理部
１６１２  運営モード制御部
【図１】
0005534617.tif 000002
【図２】
0005534617.tif 000003
【図３】
0005534617.tif 000004
【図４】
0005534617.tif 000005
【図５】
0005534617.tif 000006
【図６】
0005534617.tif 000007
【図７】
0005534617.tif 000008
【図８】
0005534617.tif 000009
【図９】
0005534617.tif 000010
【図１０】
0005534617.tif 000011
【図１１】
0005534617.tif 000012
【図１２】
0005534617.tif 000013
【図１３】
0005534617.tif 000014
【図１４】
0005534617.tif 000015
【図１５】
0005534617.tif 000016
【図１６】
0005534617.tif 000017
【図１７】
0005534617.tif 000018